(57)【要約】【課題】スマートフォンを例えば家庭内の固定電話の内線用の子機として用いる場合に、スマートフォンの消費電力が過大になることを防止した着信通知システムを提供する。【解決手段】着信通知システムは、ネットワークと、プッシュ通知配信サーバと、回線終端装置と、スマートフォンと、からなり、回線終端装置は、ＳＩＰ制御部と、着信通知部と、を具備し、ＳＩＰ制御部はネットワークに接続され、通信を行うために必要なセッションの確立、または、変更、または、切断の呼制御を行い、着信通知部は固定電話への着信通知に応答して登録ＩＤと、着信通知の日時を含むメッセージ送信要求を、プッシュ通知配信サーバに出力し、上記プッシュ通知配信サーバは、固定電話機への着信を上記スマートフォンに通知する。【選択図】図１
2014003363.tif 000002
【特許請求の範囲】
【請求項１】
ネットワークと、
上記ネットワークに接続されるプッシュ通知配信サーバと、
上記ネットワークに接続され固定電話機の回線の終端に接続される回線終端装置と、
上記ネットワークに接続されるスマートフォンと、
からなる着信通知システムであって、
上記回線終端装置は、
上記ネットワークで通信を行うために必要なセッションの確立、または、変更、または、切断の呼制御を行うＳＩＰ制御部と、
上記固定電話への着信通知に応答して、上記登録ＩＤと上記着信通知の日時とを含むメッセージ送信要求を、プッシュ通知配信サーバに出力する着信通知部と、
を具備するものであり、
上記プッシュ通知配信サーバは、
上記スマートフォン上のＳＩＰクライアントアプリケーションの登録ＩＤをデータベースに記憶し、
上記メッセージ送信要求を受信して、上記データベースに記憶された上記メッセージ送信要求内の上記登録ＩＤに対応するスマートフォンに対して、
上記固定電話機への着信を通知するものであることを特徴とする着信通知システム。
【請求項２】
ネットワークと、
上記ネットワークに接続されるプッシュ通知配信サーバと、
上記ネットワークに接続され固定電話機の回線の終端に接続される回線終端装置と、
上記ネットワークに接続されるスマートフォンと、
からなる着信通知システムであって、
上記回線終端装置は、
上記ネットワークで通信を行うために必要なセッションの確立、または、変更、または、切断の呼制御を行うＳＩＰ制御装置と、
上記ＳＩＰ制御装置に接続され、上記固定電話への着信通知に応答して、上記登録ＩＤと上記着信通知の日時とを含むメッセージ送信要求を、プッシュ通知配信サーバに出力する着信通知装置と、
で構成されるものであり、
上記プッシュ通知配信サーバは、
上記スマートフォン上のＳＩＰクライアントアプリケーションの登録ＩＤをデータベースに記憶し、
上記メッセージ送信要求を受信して、上記データベースに記憶された上記メッセージ送信要求内の上記登録ＩＤに対応するスマートフォンに対して、
上記固定電話機への着信を通知するものであることを特徴とする着信通知システム。
【発明の詳細な説明】
【技術分野】
【０００１】
本発明は、スマートフォンの電力消費を抑える着信通知システムに関する。
【背景技術】
【０００２】
固定電話の子機としてスマートフォンを利用するためのアプリケーションとしてＳＩＰクライアントアプリケーションがある。スマートフォンとは、３Ｇ(3rd Generation)やＬＴＥ（Long Term Evolution）やＷｉＦｉ（Wireless Fidelity）を通してネットワークに繋がる端末である。例えばAndroid OS2.2以上のAndroid端末や、iOS3.0以上のiPhone、第４世代以降のiPodtouchである。
【０００３】
ＳＩＰクライアントアプリケーションは、スマートフォン上で動作するアプリケーションであり、ホームゲートウェイなどの回線終端装置に内蔵されるＳＩＰ制御部に、ＳＩＰ端末としてスマートフォンを内線収容し、そのスマートフォンで、発信、着信、通話などを行えるようにする。なお、ＳＩＰは、Session Initiation Protocolの頭文字を取った文言であり、「シップ」と発音する。以降において、「ＳＩＰ」の文言は省略する場合もあり、「クライアントアプリケーション」の文言のみでも「ＳＩＰクライアントアプリケーション」を意味するものとする。
【０００４】
このＳＩＰクライアントアプリケーションが動作するスマートフォンは、ＳＩＰ制御部に内線電話の子機として登録される。ＳＩＰ制御部は、着信があった場合にスマートフォン上のクライアントアプリケーションに着信を示す信号を伝達する。着信の信号を受け取ったクライアントアプリケーションは着信を利用者に提示し、ユーザは通話を開始する。このスマートフォン上のクライアントアプリケーションが常時信号を受け取るためには、スマートフォンにクライアントアプリケーションを常駐させる必要がある。
【０００５】
スマートフォンにＳＩＰクライアントアプリケーションを常駐させる方法の他に、スマートフォンが着信情報を受け取る方法としては、プッシュ通知の技術がある。プッシュ通知とは、システム側が外部のサーバと連携して能動的に着信情報を取得してスマートフォンの利用者に通知する方式である。プッシュ通知を利用すれば、利用者が働きかけなくても着信情報の更新を知ることができる。このプッシュ通知によって、リアルタイムな情報の受け取りが可能となる。
【０００６】
Android OSでプッシュ通知を利用するためには、プッシュ通知配信サーバを利用する方法がある（例えば非特許文献１：Cloud to Device Messaging(C2DM)）。また、iOSでプッシュ通知を利用するためには、Apple Push Notification Service(APNs)（非特許文献２）を利用する方法がある。
【先行技術文献】
【非特許文献】
【０００７】
【非特許文献１】”Android Cloud to Device Messaging Framework”,http://code.google.com/intl/ja/android/c2dm/
【非特許文献２】”Local and Push Notification Programming Guide”,Mac OS X Developer Library
【発明の概要】
【発明が解決しようとする課題】
【０００８】
スマートフォンを例えば家庭内において固定電話の内線用の子機として用いる場合、上記したように、スマートフォンにＳＩＰクライアントアプリケーションを常駐させる必要がある。その場合、クライアントアプリケーションが常時動作するために消費電力が増大してしまう課題があった。また、プッシュ通知配信サーバを用いたサービスは、ネットワーク上のアプリケーションサーバと通信するスマートフォン向けにしか提供されていない。つまり、プッシュ通知配信サーバを利用するＳＩＰクライアントアプリケーションは固定電話機向けにサービスされていない。
【０００９】
したがって、従来では、スマートフォンを例えば家庭内の固定電話の内線用の子機として用いる場合は、クライアントアプリケーションを常駐させる必要があり、スマートフォンの消費電力が過大となる課題があった。
【００１０】
本発明は、このような課題に鑑みてなされたものであり、スマートフォンを例えば家庭内の固定電話の内線用の子機として用いる場合でも、スマートフォンの消費電力の増加を抑えることの出来る着信通知システムと回線終端装置を提供することを目的とする。
【課題を解決するための手段】
【００１１】
本願発明の着信通知システムは、ネットワークと、そのネットワークに接続されるプッシュ通知配信サーバと、ネットワークに接続され固定電話の回線の終端に接続される回線終端装置と、ネットワークに接続されるスマートフォンと、からなる。回線終端装置は、ＳＩＰ制御部と、着信通知部と、を具備する。ＳＩＰ制御部は、ネットワークで通信を行うために必要なセッションの確立、または、変更、または、切断の呼制御を行う。着信通知部は、上記固定電話への着信通知に応答して、上記登録ＩＤと上記着信通知の日時とを含むメッセージ送信要求を、プッシュ通知配信サーバに出力する。そして、プッシュ通知配信サーバは、スマートフォン上のＳＩＰクライアントアプリケーションの登録ＩＤをデータベースに記憶し、メッセージ送信要求を受信して、データベースに記憶されたメッセージ送信要求内の登録ＩＤに対応するスマートフォンに対して、上記固定電話機への着信を通知する。
【発明の効果】
【００１２】
本願発明の着信通知システムによれば、ＳＩＰクライアントとなる着信通知部を、固定電話の回線終端装置の内部に設けることで、電話の着信に同期してスマートフォンにインストールされているＳＩＰクライアントアプリケーションを起動することが可能となる。その結果、ＳＩＰクライアントアプリケーションの常時起動を避けることができ、スマートフォンの電力消費を抑制することが可能となる。この効果は、本願発明の回線終端装置を用いることで、ネットワーク上の変更を行うことなく奏することが出来る。
【図面の簡単な説明】
【００１３】
【図１】本発明の着信通知システム１００のシステム構成を示す図。
【図２】着信通知システム１００の動作シーケンスを示す図。
【図３】回線終端装置１１０′の機能構成例を示す図。
【図４】着信通知部１１２′の機能構成例を示す図。
【図５】着信通知部１１２′の動作フローを示す図。
【図６】回線終端装置１１０′を用いた場合の着信通知システムの動作シーケンスを示す図。
【発明を実施するための形態】
【００１４】
以下、この発明の実施の形態を図面を参照して説明する。複数の図面中同一のものには同じ参照符号を付し、説明は繰り返さない。
【実施例１】
【００１５】
図１に、この発明の着信通知システム１００のシステム構成例を示す。着信通知システム１００は、回線終端装置１１０と、スマートフォン１２０と、ネットワーク１３０と、プッシュ通知配信サーバ１４０と、で構成される。プッシュ通知配信サーバ１４０は、上記したCloud to Device Messaging(C2DM)や、Apple Push Notification Service(APNs)が実装されたサーバであり従来技術で構成される。スマートフォン１２０も、上記したように３ＧやＷｉＦｉに繋がる端末であり、従来技術で構成される。ネットワーク１３０は、従来のネットワーク回線網である。ＩＰアドレスで動作する電話網や、光電話の回線網等であってもよい。この実施例において、新しい部分は回線終端装置１１０である。図１では、回線終端装置１１０に接続される固定電話機の表記を省略している。以降、その新しい部分を中心に説明を行う。
【００１６】
回線終端装置１１０は、ＳＩＰ制御部１１１と、着信通知部１１２と、を具備する。ＳＩＰ制御部１１１は、ネットワーク１３０に接続され、通信を行うために必要なセッションの生成・変更・切断等の呼制御を行う。
【００１７】
着信通知部１１２は、スマートフォン１２０上のＳＩＰクライアントアプリケーションの登録ＩＤをデータベースに保存し、固定電話への着信通知に応答して上記登録ＩＤを含むメッセージ送信要求を、プッシュ通知配信サーバ１４０に出力する。ここで、ＳＩＰクライアントアプリケーションの登録ＩＤは、プッシュ通知配信サーバ１４０から定期的に送信されて来る。つまり、スマートフォン１２０の登録ＩＤは、予め公衆回線を通じてプッシュ通知配信サーバ１４０のデータベースに登録されている。登録ＩＤは、例えばＥメールアドレスのアカウント情報等のスマートフォン１２０を識別できる個別のＩＤである。この個別のＩＤは、プッシュ通知配信サーバ１４０から定期的に送信されて来た時に、着信通知部１１２内に記憶される。なお、このプッシュ通知配信サーバ１４０のデータベースにスマートフォン１２０の登録ＩＤを登録する動作は、従来技術である。
【００１８】
〔動作シーケンス〕
図２に、着信通知システム１００の動作シーケンスを示して説明する。なお、内線電話として利用するスマートフォン１２０の登録ＩＤは、上記した手順で既にプッシュ通知配信サーバ１４０に登録済みである前提で説明する。
【００１９】
例えば光電話回線網であるネットワーク１３０を介して回線終端装置１１０に、固定電話機への着信が入力される（ステップＳ１）。回線終端装置１１０のＳＩＰ制御部１１１は、その着信を着信通知部１１２に通知する（ステップＳ２）。その着信通知は、例えば参考文献１「竹下隆史ほか著、“マスタリングＴＣＰ／ＩＰ入門”オーム社、ISBN978-4-274-06677-1, pp.295-296」に記載されたINVITEメッセージに当たるセッションを開始する呼びかけである。
【００２０】
着信通知部１１２は、その着信通知に応答して既に記憶済みのスマートフォン１２０の登録ＩＤと、着信通知の日時と、を含むメッセージ送信要求をＳＩＰ制御部１１１を介してプッシュ通知配信サーバ１４０に送信する（ステップＳ３）。プッシュ通知配信サーバ１４０は、ＳＩＰクライアントアプリケーションを提供するサービス会社毎に固定されており、そのＵＲＬ（Uniform Resource Locator）等は、予めＳＩＰ制御部１１１に記憶されている。
【００２１】
プッシュ通知配信サーバ１４０は、回線終端装置１１０からのメッセージ送信要求に応答して、メッセージ内の登録ＩＤのスマートフォン１２０にメッセージ送信する（ステップＳ４）。メッセージ送信の内容は、メッセージ送信要求と同じである。
【００２２】
スマートフォン１２０内の着信同期起動部１２１は、プッシュ通知配信サーバ１４０からのメッセージに含まれる上記した着信日時と、スマートフォン１２０内部の時計の時刻とを比較する（ステップＳ５）。着信日時と時計の時刻との時間差が所定の時間未満（例えば１分）であればＳＩＰクライアントの登録処理を開始するための登録申請を、回線終端装置１１０に対して行う（ステップＳ６）。登録申請は、パスワードを送付することで行われる。この所定時間は、通信相手が呼び出しを続ける最大の時間幅を想定して予め利用者が決定する。その時間幅は、ＳＩＰクライアントアプリケーションの中で、利用者が自由に設定することが出来る。
【００２３】
ＳＩＰ制御部１１１は、スマートフォン１２０からのパスワードを伴う登録申請を受信すると、予めスマートフォン１２０に対応させて記憶したパスワードとの一致を認証し、その認証結果を、スマートフォン１２０に返す（ステップＳ７）。スマートフォン１２０は、その認証結果の認証が確認（ステップＳ８）できれば登録が成功したとして、回線終端装置１１０との間でセッションを確立する（ステップＳ９）。ここでのセッションは、スマートフォン１２０と回線終端装置１１０とが、例えば無線ＬＡＮで接続された内線通話の一通話の開始から終了までを意味する。セッション確立後、利用者は無線ＬＡＮあるいは上記したケーブルを介して固定電話機と内線通話を開始する（ステップＳ１０）。
【００２４】
着信日時と時計の時刻との時間差が所定の時間以上（例えば１分）の場合（ステップＳ５の所定時間以上）又は、認証結果が非認証（ステップＳ８のＮｏ）の場合は、着信が有ったが内線通話が行われなかったことを利用者に知らせる登録失敗信号を出力する（ステップＳ１１）。ＳＩＰクライアントアプリケーションは、登録失敗信号の出力が有った場合、例えば、その着信時刻を表示部に表示して利用者に知らせる処理を行う。
【００２５】
以上説明した着信通知システム１００によれば、ＳＩＰクライアントとなる着信通知部１１２を、固定電話回線網の回線終端装置１１０の内部に設けることで、固定電話機の着信に同期してスマートフォンにインストールされているＳＩＰクライアントアプリケーションを起動することが可能となり、ＳＩＰクライアントアプリケーションの常時起動を避けることが出来る。その結果、スマートフォンの電力消費の増加を抑制することが可能になる。つまり、回線終端装置１１０の内部に着信通知部１１２を設けることで、固定電話機の着信をスマートフォン１２０にプッシュ配信することが可能になる。これらの効果は、スマートフォン１２０及びネットワーク上のプッシュ通知配信サーバ１４０を変更することなく奏することが出来る。
【００２６】
〔変形例〕
上記した実施例では、回線終端装置１１０の中にＳＩＰ制御部１１１と着信通知部１１２を備える例で説明を行ったが、ＳＩＰ制御部１１１と着信通知部１１２とを、ＳＩＰ制御装置１１１′と着信通知装置１１２′として、それぞれ別々の筐体で構成するようにしても良い。その場合、着信通知装置１１２′にＳＩＰ制御装置１１１′のＩＰアドレス、ユーザ名、パスワードを登録することで、既存のＳＩＰ制御装置１１１′を用いて、本発明を利用することができる。図３に、ＳＩＰ制御装置１１１′と着信通知装置１１２′とを、それぞれ別々の筐体で構成した回線終端装置１１０′の機能構成例を示す。
【００２７】
ＳＩＰ制御装置１１１′は、上記したＳＩＰ制御部１１１と全く同じ機能構成部であるが、別筐体で独立しているので参照符号を１１１′と表記している。ＳＩＰ制御装置１１１′と着信通知装置１１２′との間でやり取りされる登録申請、着信通知は、例えば１本のＬＡＮケーブルで伝達される。つまり、ＳＩＰ制御装置１１１′と着信通知装置１１２′とは信号線で接続されている。接続のためには、着信通知装置１１２′にＳＩＰ制御装置１１１′のＩＰアドレス、ユーザ名、パスワードを登録する必要があり、登録は、以下に記載するＳＩＰ制御部登録手段１１２０で行う。
【００２８】
図４に、着信通知装置１１２′の機能構成例を示す。その動作フローを図５に示す。着信通知装置１１２′は、ＳＩＰ制御部登録手段１１２０と、データベース１１３０と、自動メッセージ送信手段１１４０と、制御部１１５０と、を備える。ＳＩＰ制御部登録手段１１２０は、着信通知装置１１２′にＬＡＮケーブル等で接続された図示しないパーソナルコンピュータから利用者が入力するＳＩＰ制御装置１１１′のＩＰアドレス、ユーザ名、パスワードを、データベース１１３０に記憶する（ステップＳ１１２１）。と共に、ＳＩＰ制御装置１１１′に対して自身のＩＰアドレスを送付して登録申請を行う（ステップＳ１１２２）。この登録申請は、ＳＩＰ制御部登録手段１１２０とＳＩＰ制御装置１１１′との間の通信エラーやＳＩＰ制御装置１１１′の登録限度台数未満であれば、ＳＩＰ制御装置１１１′で受理される。なお、データベース１１２１は、プッシュ通知配信サーバ１４０からＳＩＰ制御装置１１１′を介して定期的に送られて来るスマートフォン１２０の登録ＩＤとパスワードも記憶する。なお、ＳＩＰ制御装置１１１′から入力され、ＳＩＰ制御部登録手段１１２０を介してデータベース１１３０に記憶されるスマートフォン１２０の登録ＩＤ等を登録する動作ステップ（図５）の表記は省略している。登録は、接続の初回に一度行えばよい。
【００２９】
自動メッセージ送信手段１１４０は、ＳＩＰ制御装置１１１′から通知される固定電話機への着信に応答して、内線電話として登録されているスマートフォンの登録ＩＤと、着信通知の日時と、を含むメッセージ送信要求を生成する（ステップＳ１１４１）。そして、そのメッセージ送信要求をネットワーク１３０を介してプッシュ通知配信サーバ１４０に送信する（ステップＳ１１４２）。着信通知であるか利用者入力であるかの切り分けは、制御手段１１５０が行う（ステップＳ１１５０）。対象となるＩＰアドレスが既に登録されたものであれば着信通知であり、未登録のものであれば利用者からの登録申請であると判断してもよい。
【００３０】
図６に、この変形例の動作シーケンスを示す。上記したステップＳ１１２１とＳ１１２２は、図６のステップＳ０に当たる。また、上記したステップＳ１１４２は、図６におけるステップＳ３に当たる。ステップＳ３以降の処理は、図２と全く同じである。つまり、ＳＩＰ制御装置１１１′と着信通知装置１１２′とを、それぞれ別々の筐体で構成した回線終端装置１１０′を用いても、上記した実施例１と同様の効果を奏することが出来る。
【００３１】
なお、利用者が入力するＳＩＰ制御装置１１１′のＩＰアドレス、ユーザ名、パスワードをパーソナルコンピュータから入力する例を説明したが、スマートフォン１２０と回線終端装置１１０，１１０′とをＬＡＮケーブル等で接続して、それらの情報をスマートフォン１２０から入力するようにしても良い。
【００３２】
また、スマートフォン１２０を家庭内の固定電話の子機として用いる場合を例に説明を行ったが、オフイス内又は事業所内で用いる内線用に、本願発明の着信通知システムと回線終端装置が利用できるのは、言うまでもないことである。
【００３３】
また、上記装置において説明した処理は、記載の順に従って時系列に実行されるのみならず、処理を実行する装置の処理能力あるいは必要に応じて並列的にあるいは個別に実行されるとしてもよい。
【００３４】
また、各機能部及び手段は、コンピュータ上で所定のプログラムを実行させることにより構成することにしてもよいし、これらの処理内容の少なくとも一部をハードウェア的に実現することとしてもよい。
【図１】
2014003363.tif 000003
【図２】
2014003363.tif 000004
【図３】
2014003363.tif 000005
【図４】
2014003363.tif 000006
【図５】
2014003363.tif 000007
【図６】
2014003363.tif 000008